(57)【要約】【課題】車両用シートに内設されたエアバッグの側方への膨張及び展開を阻害せず、大きさの異なる車両用シートに対して、シートカバーのずれ防止用の係止体を適切に係止可能な汎用性の高いシートカバーを提供する。【解決手段】車両用シート２の着座部３及び背凭れ部４を被覆するカバー本体１１と、カバー本体１１の裏面１８に設けられた調節用保持部２０と、調節用保持部２０に取り外し可能に保持される係止体１９と、を備え、調節用保持部２０は、収容位置を変えて係止体１９を保持可能であることにより、車両用シート２に内設されたエアバッグの側方への膨張及び展開を阻害しないようにシートカバー１を取り付けることができ、車両用シート２の大きさが異なる車両の車両用シート２に対しても係止体１９を適切に係止することができる。【選択図】図１
2020093668.tif 000002
【特許請求の範囲】
【請求項１】
車両用シートの着座部及び背凭れ部を被覆するカバー本体と、
前記カバー本体の裏面に設けられた調節用保持部と、
前記調節用保持部に取り外し可能に保持される係止体と、を備え、
前記調節用保持部は、位置を変えて前記係止体を保持可能であることを特徴とするシートカバー。
【請求項２】
前記調節用保持部が前記係止体を収容する収容部を複数有することを特徴とする請求項１に記載のシートカバー。
【請求項３】
前記着座部を被覆する座面カバー部と、前記背凭れ部を被覆する背凭れカバー部と、前記車両用シートのヘッドレストを被覆するヘッドレストカバー部と、を有し、
前記座面カバー部には、前記座面カバー部を前記着座部に保持する下側保持部が設けられ、
前記ヘッドレストカバー部には、前記ヘッドレストカバー部を前記ヘッドレストに保持する上側保持部が設けられていることを特徴とする請求項１又は２に記載のシートカバー。
【発明の詳細な説明】
【技術分野】
【０００１】
本発明は、車両の車両用シートに着脱可能に取り付けるシートカバーに関する。
【背景技術】
【０００２】
従来から、車両シートへの汚れの付着防止、車両シートの損傷防止、車両シートの装飾、着座時の保温効果の向上や蒸れ防止、肌触りの向上、クッション性の向上等を目的として、車両シートにシートカバーを装着することが行われている（例えば、特許文献１〜特許文献３参照）。
【０００３】
シートカバーの形状は、特許文献１に記載された自動車用座席カバーのように、座席背凭と座席腰掛けの全体を被覆するように装着する袋状に形成されたものと、特許文献２に記載されたシートカバーのように、着座部と背もたれ部の前面を被覆するシート状のものが知られている。なお、特許文献２に記載されたシートカバーは、ヘッドレストの前後及び上側も被覆している。
【０００４】
特許文献１に記載の自動車用座席カバーは、背凭れカバー部と腰掛けカバー部との縫着部の裏面に取付けられた挟入部材の係合受け部に対し、前記腰掛けカバー部の襠部適所に設けられた係合部を係合させ、座席に対し弛み無くフィット装着するものである。
【０００５】
特許文献２に記載のシートカバーは、着座部の後端部上面と背もたれ部の下端面との間の隙間に係止体と本体部の先端部とを挿し込み、係止体と本体部の先端部を隙間から貫通させて、着座部と背もたれ部の後側に露出させ、係止体を着座部と背もたれ部に係止させることによって生じる反力により、座面カバー部の位置ずれを防止するものである。
【先行技術文献】
【特許文献】
【０００６】
【特許文献１】実開平５−１５８６１号公報
【特許文献２】実用新案登録第３１６７１５１号公報
【発明の概要】
【発明が解決しようとする課題】
【０００７】
しかしながら、特許文献１に記載の自動車用座席カバーは、座席背凭と座席腰掛けの全体を被覆するように装着する袋状に形成されたものであり、座席背凭にエアバッグが内設されている場合には、エアバッグの膨張及び展開が背凭れカバー部によって阻害されてしまうという問題があった。
【０００８】
また、特許文献２に記載のシートカバーは、着座部の後端部上面と背もたれ部の下端面との間の隙間に挿し込む係止体の本体部の長さを変えることができないため、車両シートの大きさ、特に着座部と背もたれ部との隙間の前後方向の長さが異なる車両への汎用性が低いという問題があった。
【０００９】
そこで、本発明は以上の問題点を解決し、車両用シートに内設されたエアバッグの側方への膨張及び展開を阻害せず、大きさの異なる車両用シートに対して、シートカバーのずれ防止用の係止体を適切に係止可能な汎用性の高いシートカバーを提供することを目的とする。
【課題を解決するための手段】
【００１０】
本発明に係るシートカバーは、車両用シートの着座部及び背凭れ部を被覆するカバー本体と、前記カバー本体の裏面に設けられた調節用保持部と、前記調節用保持部に取り外し可能に保持される係止体と、を備え、前記調節用保持部は、位置を変えて前記係止体を保持可能であることを特徴とする。
【００１１】
また、本発明に係るシートカバーは、前記調節用保持部が前記係止体を収容する収容部を複数有することを特徴とする。
【００１２】
また、本発明に係るシートカバーは、前記着座部を被覆する座面カバー部と、前記背凭れ部を被覆する背凭れカバー部と、前記車両用シートのヘッドレストを被覆するヘッドレストカバー部と、を有し、前記座面カバー部には、前記座面カバー部を前記着座部に保持する下側保持部が設けられ、前記ヘッドレストカバー部には、前記ヘッドレストカバー部を前記ヘッドレストに保持する上側保持部が設けられていることを特徴とする。
【発明の効果】
【００１３】
本発明により、車両用シートに内設されたエアバッグの側方への膨張及び展開を阻害することなくシートカバーを車両用シートに取り付けることができる。また、大きさの異なる車両用シートに対して、係止体を適切に係止することができるため、シートカバーの汎用性を高めることができる。
【図面の簡単な説明】
【００１４】
【図１】実施例１のシートカバーを車両用シートに取り付けた状態を示す斜視図である。
【図２】同、シートカバーの背面図である。
【図３】同、係止体の斜視図である。
【図４】同、調節用保持部をカバー本体に縫着した状態を示す縦断面図である。
【図５】（Ａ）同、係止体を上側の収容部に収容した状態を示す縦断面図である。（Ｂ）同、係止体を下側の収容部に収容した状態を示す縦断面図である。
【図６】（Ａ）同、係止体を上側の収容部に収容したシートカバーを車両用シートに取り付けた状態を示す略図である。（Ｂ）同、係止体を下側の収容部に収容したシートカバーを車両用シートに取り付けた状態を示す略図である。
【図７】実施例２の調節用保持部をカバー本体に縫着した状態を示す縦断面図である。
【図８】（Ａ）同、係止体を上側の位置に保持した状態を示す縦断面図である。（Ｂ）同、係止体を下側の位置に保持した状態を示す縦断面図である。（Ｃ）同、係止体を中間の位置に保持した状態を示す縦断面図である。
【図９】同、（Ａ）同、係止体を上側の位置に保持したシートカバーを車両用シートに取り付けた状態を示す略図である。（Ｂ）同、係止体を下側の位置に保持したシートカバーを車両用シートに取り付けた状態を示す略図である。（Ｃ）同、係止体を中間の位置に保持したシートカバーを車両用シートに取り付けた状態を示す略図である。
【発明を実施するための形態】
【００１５】
以下、本発明の実施例について、添付の図１〜図９を参照して説明する。以下に説明する実施例は、特許請求の範囲に記載された本発明の内容を限定するものではない。また、以下に説明される構成の全てが、本発明の必須要件であるとは限らない。
【実施例１】
【００１６】
図１〜図６は本発明の実施例１を示しており、本実施例のシートカバー１は、車両（図示せず）の車両用シート２の着座部３、背凭れ部４及びヘッドレスト５の前面部６を被覆する座面カバー部７、背凭れカバー部８及びヘッドレストカバー部９を有する。本実施例のシートカバー１の表面１０には防水処理が施されている。なお、シートカバー１のうち、座面カバー部７と背凭れカバー部８をカバー本体１１という。
【００１７】
図１に示すように、座面カバー部７には、下側保持部であるゴムバンド１２，１３が設けられている。このゴムバンド１２，１３を着座部３に係止することで、座面カバー部７を着座部３に保持することができる。また、座面カバー部７の下側端部１４（背凭れカバー部８と反対側の端部）には、下側保持部であるフック付きバンド１５が設けられている。フック付きバンド１５の先端に設けられたＳ字フック１６を着座部３の裏側に配設された金属部品等に係止することで、座面カバー部７を着座部３に保持することができる。なお、座面カバー部７を保持する下側保持部はゴムバンド１２，１３及びフック付きバンド１５に限られず、座面カバー部７を着座部３に保持することができるものであれば、他の公知の保持部材を用いることができる。また、座面カバー部７は、ゴムバンド１２，１３のみ又はフック付きバンド１５のみで着座部３に保持してもよい。
【００１８】
ヘッドレストカバー部９には、上側保持部であるゴムバンド１７が設けられており、ゴムバンド１７をヘッドレスト５に係止することで、ヘッドレストカバー部９をヘッドレスト５に保持することができる。なお、ヘッドレストカバー部９を保持する上側保持部はゴムバンド１７に限られず、ヘッドレストカバー部９をヘッドレスト５に保持することができるものであればよく、紐材（図示せず）や面ファスナー（図示せず）等の保持部材を使用してもよい。
【００１９】
図２に示すように、カバー本体１１の裏面１８であって、座面カバー部７と背凭れカバー部８との境界部分には、係止体１９を収容する調節用保持部２０が設けられている。なお、座面カバー部７と背凭れカバー部８との境界部分とは、シートカバー１を車両用シート２に取り付けた状態で、着座部３を被覆する部分と背凭れ部４を被覆する部分の境界をいう。そのため、境界部分は１箇所に定まるものではなく、シートカバー１を取り付ける車両用シート２ごとに変わり、車両用シート２の大きさ（着座部３と背凭れ部４の長さの比率）やシートカバー１の車両用シート２への取り付け位置により決定されるものである。
【００２０】
図３に示すように、係止体１９は円柱形状を有し、ウレタン樹脂により形成されている。なお、係止体１９の形状は円柱形状に限られず、三角柱や四角柱等の角柱形状であってもよい。さらに、係止体１９は他の樹脂材や木材や金属等で形成してもよい。
【００２１】
図２に示すように、調節用保持部２０は、合成繊維等により形成された布材を袋状に縫製して形成されている。本実施例の調節用保持部２０は、係止体１９を収容する２つの収容部２１，２２を有している。それぞれの収容部２１，２２は、係止体１９の略全体を収容し、かつ、収容した係止体１９が内部で移動しない程度の容積となるように形成されている。なお、収容部２１，２２は、係止体１９を完全に収容可能な容積としてもよいが、係止体１９を収容部２１，２２に収容した状態で、係止体１９の一部が収容部２１，２２から露出することで、係止体１９を収容部２１，２２から取り出し易くなる。
【００２２】
図２、図４及び図５に示すように、収容部２１，２２はカバー本体１１の長手方向（上下方向）に並んで形成されている。なお、収容部２１，２２の数は２つに限られず、３つ以上であってもよい。収容部２１，２２は、係止体１９を出し入れする開口部２３，２４がカバー本体１１の短手方向（左右方向）側に形成されている。本実施例では開口部２３，２４が、カバー本体１１の背面視左側に形成されているが、右側に形成されてもよく、収容部２１の開口部２３と収容部２１の開口部２４が左右逆側に形成されていてもよい。
【００２３】
調節用保持部２０は、上端部２５と下端部２６がカバー本体１１に縫着されており、収容部２１，２２が座面カバー部７と背凭れカバー部８の境界部分又はその近接部分に位置するようになっている。なお、調節用保持部２０は、上端部２５と下端部２６を接着剤によりカバー本体１１に接着固定してもよい。また、調節用保持部２０は、上端部２５と下端部２６のみではなく、調節用保持部２０全体をカバー本体１１に縫着又は接着してもよい。
【００２４】
ここで、シートカバー１の取付方法について説明する。事前に係止体１９を調節用保持部２０の収容部２１又は収容部２２の何れかに収容し保持しておく。本実施例では上側の収容部２１に係止体１９を収容している。まず、シートカバー１を車両用シート２の前面部６に被覆するように載置する。そして、座面カバー部７のゴムバンド１２，１３及びフック付きバンド１５のＳ字フック１６を着座部３に係止する。次に、係止体１９を収容した調節用保持部２０を着座部３と背凭れ部４との間の隙間２７に圧入し、係止体１９が収容された収容部２１を車両用シート２の背面部２８側に引き出す。そして、収容部２１に収容された係止体１９を車両用シート２の背面部２８に係止する。最後に、ヘッドレストカバー部９のゴムバンド１７をヘッドレスト５に係止する。なお、この取付方法は、シートカバー１の取付方法の一例であり、ゴムバンド１２，１３、フック付きバンド１５のＳ字フック１６、ゴムバンド１７及び係止体１９の各係止の順番は適宜変更可能であり、取付者の取り付け易い順番を選択することができる。
【００２５】
本実施例の着座部３の後側端部２９と背凭れ部４の下側端部３０は当接しており、着座部３と背凭れ部４の表面部材であるクッション３１を押圧することで隙間２７が生じるようになっている。そのため、クッション３１に外力を付加しない場合には、車両用シート２の背面部２８に係止された係止体１９が車両用シート２の前面部６側に容易に引き出されることはない。なお、図６（Ａ）,（Ｂ）においては、説明の都合上、着座部３と背凭れ部４を離して作図している。
【００２６】
本実施例のように、上側の収容部２１に係止体１９を収容した場合（図５（Ａ）参照。）には、座面カバー部７を着座部３の前後方向に長く確保することができる。そのため、図６（Ａ）に示すように、前後方向の長さが長い着座部３や上下方向の長さが短い背凭れ部４を有する車両用シート２に取り付ける場合には、係止体１９を上側の収容部２１に収容すればよい。一方、下側の収容部２１に係止体１９を収容した場合（図５（Ｂ）参照。）には、背凭れカバー部８を背凭れ部４の上下方向に長く確保することができる。そのため、図６（Ｂ）に示すように、前後方向の長さが短い着座部３や上下方向の長さが長い背凭れ部４を有する車両用シート２に取り付ける場合には、係止体１９を下側の収容部２１に収容すればよい。したがって、車両用シート２の着座部３及び背凭れ部４の長さに応じて、係止体１９を収容する収容部２１，２２を選択することができる。
【００２７】
また、図示しないが、係止体１９及び収容部２１，２２を着座部３と背凭れ部４との間（隙間２７）に配置した状態で、着座部３と背凭れ部４のクッション３１の復元力により十分に保持される場合には、収容部２１又は収容部２２に収容された係止体１９を車両用シート２の背面部２８側に完全に引き出さずに、着座部３と背凭れ部４のクッション３１により挟持された状態で使用することもできる。
【００２８】
ゴムバンド１７は、ヘッドレスト５の上下方向の幅Ｗ（図６参照。）内で係止可能であるため、この係止位置を調節することで、背凭れ部４の上下方向の長さに合うように背凭れカバー部８を調節可能である。このように、係止体１９を収容する収容部２１，２２を選択し、ゴムバンド１２，１３、フック付きバンド１５、ゴムバンド１７及び係止体１９の５箇所でシートカバー１を車両用シート２に係止することで、シートカバー１を車両用シート２の長手方向の長さに適合させて取り付けることができると共に、シートカバー１が車両用シート２から外れたり、ずれたりし難くすることがきる。
【００２９】
以上のように、本実施例のシートカバー１は、車両用シート２の着座部３及び背凭れ部４を被覆するカバー本体１１と、カバー本体１１の裏面１８に設けられた調節用保持部２０と、調節用保持部２０に取り外し可能に保持される係止体１９と、を備え、調節用保持部２０は、位置を変えて係止体１９を保持可能であることにより、シートカバー１が車両用シート２の側面部分を被覆しないため、車両用シート２にエアバッグが内設されている場合であっても、エアバッグの側方への膨張及び展開を阻害することがない。また、係止体１９を保持する位置を変えることで、座面カバー部７と背凭れカバー部８の境界部分の位置を変え、座面カバー部７と背凭れカバー部８の長さを調節することができる。そのため、着座部３や背凭れ部４の長さが異なる車両の車両用シート２であっても、係止体１９を背面部２８に適切に係止し、シートカバー１を車両用シート２に弛み無く装着することができ、汎用性の高いシートカバー１とすることができる。
【００３０】
また、本実施例のシートカバー１は、調節用保持部２０が係止体１９を収容する収容部２１，２２を複数有することにより、係止体１９の収容位置を任意に選択することができる。そして、係止体１９を収容する位置を変えることで、座面カバー部７と背凭れカバー部８の境界部分の位置を変え、座面カバー部７と背凭れカバー部８の長さを調節することができる。そのため、着座部３や背凭れ部４の長さが異なる車両の車両用シート２であっても、係止体１９を背面部２８に適切に係止し、シートカバー１を車両用シート２に弛み無く装着することができる。
【００３１】
また、本実施例のシートカバー１は、着座部３を被覆する座面カバー部７と、背凭れ部４を被覆する背凭れカバー部８と、車両用シート２のヘッドレスト５を被覆するヘッドレストカバー部９と、を有し、座面カバー部７には、座面カバー部７を着座部３に保持するゴムバンド１２，１３及びフック付きバンド１５が設けられ、ヘッドレストカバー部９には、ヘッドレストカバー部９をヘッドレスト５に保持するゴムバンド１７が設けられていることにより、シートカバー１の上下を車両用シート２に保持することができ、シートカバー１の車両用シート２からの外れやずれを防止することができる。
【実施例２】
【００３２】
図７〜図９は、本発明の実施例２を示し、上記実施例１と同一部分に同一符号を付し、その詳細な説明を省略して詳述する。本実施例は、実施例１の調節用保持部２０の形態を変更した調節用保持部４１を用いたものである。
【００３３】
本実施例の調節用保持部４１は、ループ部４２とフック部４３からなる面ファスナー４４により形成されている。本実施例では、カバー本体１１の裏面１８の境界部分又はその近接部分に調節用保持部４１が配設されている。ループ部４２の上端部４５及び下端部４６がカバー本体１１に縫着されており、係止体１９をループ部４２とフック部４３により挟持した状態で、ループ部４２の上側部４７及び下側部４８と、フック部４３の上側部４９及び下側部５０とを連結することで係止体１９を調節用保持部４１に保持するものである。そのため、上記実施例１よりも係止体１９の収容位置を細かく調節することができる。図７は、係止体１９を挟持する前の状態を示しており、図８（Ａ）は、係止体１９を上側の位置で保持した状態を示しており、図８（Ｂ）は、係止体１９を下側の位置で保持した状態を示しており、図８（Ｃ）は、係止体１９を上下方向中間位置で保持した状態を示している。
【００３４】
面ファスナー４４は、その長手方向がカバー本体１１の長手方向（上下方向）と平行になるように配置されている。また、係止体１９は、その長手方向がカバー本体１１の短手方向（左右方向）と平行になるように、ループ部４２とフック部４３により挟持された状態で保持される。
【００３５】
本実施例では、ループ部４２をカバー本体１１の裏面１８に縫着しているが、ループ部４２は接着剤によりカバー本体１１に接着固定してもよい。また、ループ部４２は、上端部４５と下端部４６のみではなく、ループ部４２全体をカバー本体１１に縫着又は接着してもよい。また、ループ部４２とフック部４３の位置を入れ替え、フック部４３をカバー本体１１の裏面１８に縫着又は接着する構成としてもよい。
【００３６】
ここで、シートカバー１の取付方法について説明する。事前に係止体１９を調節用保持部４１（面ファスナー４４）により保持しておく。本実施例では上側の位置に係止体１９を保持している。まず、シートカバー１を車両用シート２の前面部６に被覆するように載置する。そして、座面カバー部７のゴムバンド１２，１３及びフック付きバンド１５のＳ字フック１６を着座部３に係止する。次に、係止体１９を保持した調節用保持部４１（面ファスナー４４）を着座部３と背凭れ部４との間の隙間２７に圧入し、係止体１９が保持された調節用保持部４１（面ファスナー４４）を車両用シート２の背面部２８側に引き出す。そして、調節用保持部４１（面ファスナー４４）に保持された係止体１９を車両用シート２の背面部２８に係止する。最後に、ヘッドレストカバー部９のゴムバンド１７をヘッドレスト５に係止する。なお、この取付方法は、シートカバー１の取付方法の一例であり、ゴムバンド１２，１３、フック付きバンド１５のＳ字フック１６、ゴムバンド１７及び係止体１９の各係止の順番は適宜変更可能であり、取付者の取り付け易い順番を選択することができる。なお、図９（Ａ）,（Ｂ）,（Ｃ）においては、説明の都合上、着座部３と背凭れ部４を離して作図しているが、本実施例では、着座部３の後側端部２９と背凭れ部４の下側端部３０は当接している。
【００３７】
本実施例のように、係止体１９を上側の位置で保持した場合（図８（Ａ）参照。）には、座面カバー部７を着座部３の前後方向に長く確保することができる。そのため、図９（Ａ）に示すように、前後方向の長さが長い着座部３や上下方向の長さが短い背凭れ部４を有する車両用シート２に取り付ける場合には、係止体１９を上側の位置に保持すればよい。一方、係止体１９を下側の位置で保持した場合（図８（Ｂ）参照。）には、座面カバー部７を着座部３の前後方向に長く確保することができる。そのため、図９（Ｂ）に示すように、前後方向の長さが短い着座部３や上下方向の長さが長い背凭れ部４を有する車両用シート２に取り付ける場合には、係止体１９を下側の位置に保持すればよい。また、係止体１９を中間の位置で保持した場合（図８（Ｃ）参照。）には、座面カバー部７と座面カバー部７の長さを図８（Ａ）及び図８（Ｂ）に示す場合の中間の長さとすることができる。そのため、図９（Ｃ）に示すように、着座部３と背凭れ部４の長さが図９（Ａ）及び図９（Ｂ）に示す長さの中間の長さの場合には、係止体１９を中間の位置に保持すればよい。したがって、車両用シート２の着座部３及び背凭れ部４の長さに応じて、係止体１９を保持する位置を選択することができる。
【００３８】
本実施例においても上記実施例１と同様に、係止体１９を着座部３と背凭れ部４のクッション３１により挟持された状態で使用することもできる。
【００３９】
以上のように、本実施例のシートカバー１は、車両用シート２の着座部３及び背凭れ部４を被覆するカバー本体１１と、カバー本体１１の裏面１８に設けられた調節用保持部４１と、調節用保持部４１に取り外し可能に保持される係止体１９と、を備え、調節用保持部４１は、位置を変えて係止体１９を保持可能であることにより、シートカバー１が車両用シート２の側面部分を被覆しないため、車両用シート２にエアバッグが内設されている場合であっても、エアバッグの側方への膨張及び展開を阻害することがない。また、係止体１９を保持する位置を変えることで、座面カバー部７と背凭れカバー部８の境界部分の位置を変え、座面カバー部７と背凭れカバー部８の長さを調節することができる。そのため、着座部３や背凭れ部４の長さが異なる車両の車両用シート２であっても、係止体１９を背面部２８に適切に係止し、シートカバー１を車両用シート２に弛み無く装着することができ、汎用性の高いシートカバー１とすることができる。
【００４０】
なお、本発明は上記実施例に限定されるものではなく、本発明の要旨の範囲内において、種々の変形実施が可能である。例えば、実施例１においては、調節用保持部２０の上端部２５又は下端部２６の何れか一方のみを縫着し、他方はカバー本体１１に固定しない構成としてもよい。また、実施例２においても、ループ部４２の上端部４５又は下端部４６の何れか一方のみを縫着し、他方はカバー本体１１に固定しない構成としてもよい。
【符号の説明】
【００４１】
１  シートカバー
２  車両用シート
３  着座部
４  背凭れ部
５  ヘッドレスト
７  座面カバー部
８  背凭れカバー部
９  ヘッドレストカバー部
１１  カバー本体
１２  ゴムバンド（下側保持部）
１３  ゴムバンド（下側保持部）
１５  フック付きバンド（下側保持部）
１７  ゴムバンド（上側保持部）
１８  裏面
１９  係止体
２０  調節用保持部
２１  収容部
２２  収容部
４１  調節用保持部
【図１】
2020093668.tif 000003
【図２】
2020093668.tif 000004
【図３】
2020093668.tif 000005
【図４】
2020093668.tif 000006
【図５】
2020093668.tif 000007
【図６】
2020093668.tif 000008
【図７】
2020093668.tif 000009
【図８】
2020093668.tif 000010
【図９】
2020093668.tif 000011